(57)【要約】【課題】ユーザが感じうる煩わしさを低減することが可能な撮像装置を提供する。【解決手段】ユーザの頭部に装着して用いられる撮像装置、または、ユーザの頭部に装着して用いられる装着型の装置に接続して用いられる撮像装置であって、撮像素子を有し、ユーザの両目を撮像対象とする撮像部材と、撮像素子の撮像面上に、ユーザの両目の像をそれぞれ結像させる光学部材とを備え、撮像部材は、撮像装置または装着型の装置がユーザの頭部に装着されたときに、ユーザの一方の目側またはユーザの他方の目側に位置するように、配置される、撮像装置が、提供される。【選択図】図３
2019051218.tif 000002
【特許請求の範囲】
【請求項１】
ユーザの頭部に装着して用いられる撮像装置、または、ユーザの頭部に装着して用いられる装着型の装置に接続して用いられる撮像装置であって、
撮像素子を有し、前記ユーザの両目を撮像対象とする撮像部材と、
前記撮像素子の撮像面上に、前記ユーザの両目の像をそれぞれ結像させる光学部材と、
を備え、
前記撮像部材は、前記撮像装置または前記装着型の装置が前記ユーザの頭部に装着されたときに、前記ユーザの一方の目側または前記ユーザの他方の目側に位置するように、配置される、撮像装置。
【請求項２】
前記光学部材は、プリズムである、請求項１に記載の撮像装置。
【請求項３】
前記光学部材は、前記撮像装置から着脱可能である、請求項１または２に記載の撮像装置。
【請求項４】
前記撮像部材は、光学系を調整する調整機構を備える、請求項１〜３のいずれか１項に記載の撮像装置。
【請求項５】
前記撮像部材は、前記撮像装置または前記装着型の装置が前記ユーザの頭部に装着されたときに、前記ユーザの有効視野の外に位置するように、配置される、請求項１〜４のいずれか１項に記載の撮像装置。
【発明の詳細な説明】
【技術分野】
【０００１】
本発明は、撮像装置に関する。
【背景技術】
【０００２】
人の目の動きをモニタリングする技術が開発されている。人の右目を撮像するカメラと人の左目を撮像するカメラとを備える装置によって、人の目の動きをモニタリングする技術としては、例えば特許文献１に記載の技術が挙げられる。
【先行技術文献】
【特許文献】
【０００３】
【特許文献１】特開２０１５−１０９９８４号公報
【発明の概要】
【発明が解決しようとする課題】
【０００４】
視線の検出に用いられる手法としては、例えば角膜反射法を利用する方法がある。角膜反射法は、ＩＲ  ＬＥＤ（InfraRed  Light  Emitting  Diode）などの光源の光が角膜において反射された角膜反射像（「プルキニエ像」とも呼ばれる。）を用いて視線を検出する方法である。角膜反射法が用いられる場合、例えば、視線の検出対象のユーザの両目それぞれに対応する２つの角膜反射像を撮像装置で撮像して２つの角膜反射像を観測し、観測された角膜反射像の位置に対する瞳孔の位置に基づいて、視線が検出される。
【０００５】
ここで、例えば、角膜反射法を利用したユーザの視線の検出に用いられる既存の装置や、ユーザの目の計測に用いられる既存の装置は、撮像部材によってユーザの目を撮像する。また、上記のようなユーザの目を撮像する既存の装置では、例えば特許文献１に記載の装置のように、検出対象のユーザの両目それぞれに対応する２つの撮像部材が、ユーザの右目に対応する位置とユーザの左目に対応する位置との２箇所に配置される。
【０００６】
しかしながら、既存の装置のように、ユーザの右目に対応する位置とユーザの左目に対応する位置との２箇所に撮像部材が配置される構成の場合には、２箇所に配置された撮像部材がユーザに認識されることがある。また、２箇所に配置された撮像部材がユーザに認識された場合、２箇所に配置された撮像部材をユーザが煩わしく感じてしまう可能性がある。
【０００７】
本発明は、上記問題に鑑みてなされたものであり、本発明の目的とするところは、ユーザが感じうる煩わしさを低減することが可能な、新規かつ改良された撮像装置を提供することにある。
【課題を解決するための手段】
【０００８】
上記目的を達成するために、本発明のある観点によれば、ユーザの頭部に装着して用いられる撮像装置、または、ユーザの頭部に装着して用いられる装着型の装置に接続して用いられる撮像装置であって、撮像素子を有し、上記ユーザの両目を撮像対象とする撮像部材と、上記撮像素子の撮像面上に、上記ユーザの両目の像をそれぞれ結像させる光学部材と、を備え、上記撮像部材は、上記撮像装置または上記装着型の装置が上記ユーザの頭部に装着されたときに、上記ユーザの一方の目側または上記ユーザの他方の目側に位置するように、配置される、撮像装置が、提供される。
【０００９】
かかる構成によって、ユーザの両目を撮像するために画角を広げることなく、ユーザの両目を撮像対象とする１つの撮像部材で、ユーザの両目をそれぞれ撮像することができる。また、１つの撮像部材でユーザの両目をそれぞれ撮像することにより、撮像部材が配置される箇所を減らすことができるので、ユーザにとって目障りとなる可能性がある部分を減らすことが可能となる。したがって、かかる構成によって、ユーザが感じうる煩わしさを低減することができる。
【００１０】
また、上記光学部材は、プリズムであってもよい。
【００１１】
また、上記光学部材は、上記撮像装置から着脱可能であってもよい。
【００１２】
また、上記撮像部材は、光学系を調整する調整機構を備えていてもよい。
【００１３】
また、上記撮像部材は、上記撮像装置または上記装着型の装置が上記ユーザの頭部に装着されたときに、上記ユーザの有効視野の外に位置するように、配置されていてもよい。
【発明の効果】
【００１４】
本発明によれば、ユーザが感じうる煩わしさを低減することができる。
【図面の簡単な説明】
【００１５】
【図１】ユーザの両目を撮像することが可能な撮像装置の構成の一例を示す説明図である。
【図２】ユーザの両目を撮像することが可能な撮像装置の構成の他の例を示す説明図である。
【図３】本発明の実施形態に係る撮像装置の構成の一例を示す説明図である。
【図４】本発明の実施形態に係る撮像装置の外観の一例を示す説明図である。
【図５】本発明の実施形態に係る撮像装置が備える撮像部材における撮像により得られる撮像画像の一例を示す説明図である。
【図６】本発明の実施形態に係る撮像装置から着脱可能な光学部材の一例を示す説明図である。
【発明を実施するための形態】
【００１６】
以下、添付図面を参照しながら、本発明の好適な実施の形態について詳細に説明する。なお、本明細書および図面において、実質的に同一の機能構成を有する構成要素については、同一の符号を付することにより重複説明を省略する。
【００１７】
［１］本発明の実施形態に係る撮像装置
本発明の実施形態に係る撮像装置は、例えば、アイウェアや耳かけ型の装置のようなユーザの頭部に装着して用いられる装着型の装置であって、撮像機能を有する装置である。また、本発明の実施形態に係る撮像装置は、例えば、アイウェアなどのユーザの頭部に装着して用いられる装着型の装置に物理的に接続して用いられ、撮像機能を有する装置であってもよい。以下では、ユーザの頭部に装着して用いられる本発明の実施形態に係る撮像装置を、「装着型の撮像装置」と示す場合がある。また、以下では、ユーザの頭部に装着して用いられる装着型の装置を「装着型の装置」と示し、装着型の装置に物理的に接続可能な本発明の実施形態に係る撮像装置を、「接続型の撮像装置」と示す場合がある。また、以下では、「装着型の撮像装置」と「接続型の撮像装置」とを総称して、「本発明の実施形態に係る撮像装置」と示す。
【００１８】
つまり、本発明の実施形態に係る撮像装置は、装着型の撮像装置、または、装着型の装置に物理的に接続可能な、接続型の撮像装置である。
【００１９】
本発明の実施形態に係る撮像装置は、撮像部材を備え、ユーザの両目をそれぞれ撮像する。以下では、ユーザの両目を撮像することが可能な撮像装置の構成の一例を簡単に示した後に、本発明の実施形態に係る撮像装置の構成の一例を説明する。
【００２０】
［１−１］ユーザの両目を撮像することが可能な撮像装置の構成の一例
図１は、ユーザの両目を撮像することが可能な撮像装置の構成の一例を示す説明図である。図１では、既存の撮像装置と同様に撮像部材が配置される、撮像装置１０の構成を示している。
【００２１】
撮像装置１０は、第１の撮像部材１２と第２の撮像部材１４とを備える。撮像装置１０では、図１に示すように、ユーザの右目に対応する位置とユーザの左目に対応する位置との２箇所に、第１の撮像部材１２と第２の撮像部材１４とが配置される。
【００２２】
例えば図１に示す撮像部材の配置では、第１の撮像部材１２によりユーザに右目が撮像され、第２の撮像部材１４によりユーザに左目が撮像される。よって、例えば図１に示す撮像部材の配置により、装着型の撮像装置または装着型の装置を頭部に装着したユーザの両目を、それぞれ撮像することが可能である。
【００２３】
しかしながら、図１に示すように、ユーザの右目に対応する位置とユーザの左目に対応する位置との２箇所に撮像部材が配置される場合には、上述したように、ユーザが２箇所に配置された撮像部材を煩わしく感じてしまう可能性が、ある。
【００２４】
図１に示す撮像装置１０が用いられるときにおけるユーザが感じうる煩わしさを低減する方法としては、例えば、１つの撮像部材によってユーザの両目をそれぞれ撮像する方法が、考えられる。
【００２５】
図２は、ユーザの両目を撮像することが可能な撮像装置の構成の他の例を示す説明図である。図２では、１つの撮像部材２２によりユーザの両目を撮像する、撮像装置２０の構成を示している。図２に示す“Ｒ１”は、撮像部材２２の撮像範囲を概念的に示している。また、図２に示す“Ｒ２”は、撮像部材２２の撮像範囲内に含まれる一部の領域を示している。
【００２６】
撮像装置２０は、撮像部材２２を備える。撮像装置２０では、図２に示すように、ユーザの右目に対応する位置の１箇所に、撮像部材２２が配置される。
【００２７】
図２に示す撮像装置２０では、例えば撮像部材２２の画角を広げることによって、ユーザの両目を撮像範囲内に含め、ユーザの両目を含む撮像画像を得ることが可能である。
【００２８】
また、図２に示す撮像装置２０では、図１に示す撮像装置１０よりも撮像部材が配置される箇所を減らすことができるので、ユーザにとって目障りとなる可能性がある部分を減らすことが可能となる。よって、図２に示す撮像装置２０のように、１つの撮像部材によりユーザの両目を撮像することによって、ユーザが感じうる煩わしさを低減することができる。
【００２９】
しかしながら、図２に示す撮像装置２０では、撮像部材２２の画角を広げなければユーザの両目を撮像することができない。撮像部材２２の画角を広げることは、図２において“Ｒ２”と示す領域のような“撮像対象の目を示す領域以外の領域”が、大きくなることに繋がる。
【００３０】
よって、図２に示す撮像装置２０のように、撮像部材の画角を広げなければユーザの両目を撮像することができない場合には、目を撮像対象とする上で無駄が大きい。また、目を撮像対象とする上での無駄が大きくなることによって、撮像画像に基づき行うことが可能な処理（例えば、後述する視線検出処理や目を計測する処理など）の精度の低下を招く可能性がある。
【００３１】
［１−２］本発明の実施形態に係る撮像装置の概要
そこで、本発明の実施形態に係る撮像装置では、図２に示す撮像装置２０のようにユーザの両目を撮像するために画角を広げることなく、ユーザの両目を撮像対象とする１つの撮像部材で、ユーザの両目をそれぞれ撮像する。
【００３２】
したがって、本発明の実施形態に係る撮像装置は、１つの撮像部材でユーザの両目をそれぞれ撮像するので、図２に示す撮像装置２０と同様に、ユーザが感じうる煩わしさを低減することができる。
【００３３】
また、本発明の実施形態に係る撮像装置は、図２に示す撮像装置２０のようにユーザの両目を撮像するために画角を広げることなく、１つの撮像部材でユーザの両目をそれぞれ撮像するので、撮像画像における撮像対象の目を示す領域以外の領域は、図２に示す撮像装置２０において撮像された撮像画像よりも小さくなる。つまり、本発明の実施形態に係る撮像装置における撮像では、図２に示す撮像装置２０における撮像よりも、目を撮像対象とする上での無駄が小さい。さらに、撮像画像における撮像対象の目を示す領域以外の領域が小さくなることによって、撮像画像に基づき行うことが可能な処理（例えば、後述する視線検出処理や目を計測する処理など）の精度の低下を防止することが可能となる。
【００３４】
また、本発明の実施形態に係る撮像装置では、装着型の撮像装置または装着型の装置がユーザの頭部に装着されたときに、ユーザの一方の目側または他方の目側に位置するように、撮像部材が配置される。このとき、本発明の実施形態に係る撮像装置では、例えば、撮像部材が、装着型の撮像装置または装着型の装置がユーザの頭部に装着されたときに当該ユーザの有効視野の外に位置するように、配置されていてもよい。
【００３５】
ユーザの有効視野の外への撮像部材の配置は、例えば、本発明の実施形態に係る撮像装置の設計段階において人間の視野特性を考慮することにより、実現される。
【００３６】
ここで、人間の視野特性は、例えば下記のように分類することが可能である。
・弁別視野：視力や色弁別などの視機能が優れ、人間が、任意のオブジェクトの形状や内容を認識することができる範囲
・有効視野：人間が、眼球運動を行うことにより、目的とするオブジェクトの形状や内容を認識することができる範囲
・その他の範囲：弁別視野、および有効視野以外の範囲
【００３７】
ユーザの有効視野の外に位置するような配置の例としては、例えば、“装着型の撮像装置または装着型の装置がユーザの頭部に装着されたときに、撮像部材が上記その他の範囲に位置するように、撮像部材を、ユーザの一方の目側または他方の目側に配置すること”が、挙げられる。撮像部材の、ユーザの有効視野の外に位置するような配置は、例えば、有効視野の範囲の統計量（人間の視野特性に対応する指標の一例）、撮像部材の撮像機能、撮像装置のデザインなどを考慮することにより、決定される。
【００３８】
なお、ユーザの有効視野の外に位置するような撮像部材の配置の例は、上記に示す例に限られない。例えば、撮像部材は、装着型の撮像装置または装着型の装置がユーザの頭部に装着されたときに、ユーザの死角となる任意の位置（ユーザの視界に入らない位置）に、配置されてもよい。
【００３９】
例えば上記にように、装着型の撮像装置または装着型の装置がユーザの頭部に装着されたときに当該ユーザの有効視野の外に位置するように、撮像部材が配置されることによって、ユーザが感じうる煩わしさをさらに低減することができる。
【００４０】
［１−３］本発明の実施形態に係る撮像装置の構成
次に、本発明の実施形態に係る撮像装置の構成について、より具体的に説明する。
【００４１】
図３は、本発明の実施形態に係る撮像装置１００の構成の一例を示す説明図である。撮像装置１００は、例えば、撮像部材１０２と、光学部材１０４とを備える。撮像装置１００は、例えば、撮像装置１００が備えているバッテリなどの内部電源から供給される電力、または、外部電源から供給される電力などによって、駆動する。
【００４２】
また、図４は、本発明の実施形態に係る撮像装置１００の外観の一例を示す説明図である。図４は、撮像装置１００が装着型の装置２００に接続して用いられる接続型の撮像装置である場合における、撮像装置１００の外観の一例を示している。
【００４３】
なお、図４に示す撮像装置１００と装着型の装置２００とは、一体の装置（すなわち、装着型の撮像装置）であってもよい。また、本発明の実施形態に係る撮像装置の外観が、図４に示す例に限られないことは、言うまでもない。
【００４４】
［１−３−１］撮像部材１０２
撮像部材１０２は、ユーザの両目を撮像対象とする撮像部材である。撮像部材１０２は、例えば図３に示すように、ユーザの右目側（ユーザの一方の目側の一例、またはユーザの他方の目側の一例）に位置するように、配置される。
【００４５】
撮像部材１０２は、例えば、鏡筒に設けられる光学系と、複数の撮像素子を有するイメ−ジセンサとを含んで構成される。イメ−ジセンサでは、例えば複数の撮像素子がマトリクス状に配置される。光学系は、１または２以上のレンズを含んで構成される。光学系を構成するレンズとしては、例えば、フォーカスレンズ、ズームレンズ、単焦点レンズなどの様々なレンズが、挙げられる。撮像素子としては、例えば、ＣＭＯＳ（Complementary  Metal  Oxide  Semiconductor）や、ＣＣＤ（Charge  Coupled  Device）などが、挙げられる。
【００４６】
なお、撮像部材１０２の構成は、上記に示す例に限られない。
【００４７】
例えば、撮像部材１０２は、光学系を調整する調整機構を備えていてもよい。
【００４８】
調整機構は、例えば鏡筒に設けられ、光学系を構成するレンズの鏡筒内における位置関係を変える。調整機構としては、例えば、鏡筒に設けられ回動可能なリング状の回動部材と、回動部材の回動と連動して光学系を構成するレンズを鏡筒内で移動させるレンズ移動部材とが、挙げられる。レンズ移動部材は、例えばバネやゴムなどの弾性体を含んで構成され、回動部材の回動に応じてレンズを移動させる。
【００４９】
なお、本発明の実施形態に係る調整機構の構成は、上記に示す例に限られない。例えば、本発明の実施形態に係る調整機構は、手動で光学系を調整することが可能な任意の構成、または、モータなどの駆動により自動的に光学系を調整することが可能な任意の構成を、とることが可能である。
【００５０】
また、撮像部材１０２は、撮像素子により生成されたアナログ信号を信号処理する信号処理回路を有していてもよい。信号処理回路は、例えば、ＡＧＣ（Automatic  Gain  Control）回路とＡＤＣ（Analog  to  Digital  Converter）とを含み、撮像素子により生成されたアナログ信号をデジタル信号（画像データ）に変換する。
【００５１】
また、撮像部材１０２は、撮像により生成された画像信号（アナログ信号またはデジタル信号）を送信する送信器を有していてもよい。送信器としては、例えば、ＭＩＰＩ（Mobile  Industry  Processor  Interface）アライアンスのＣＳＩ−２（Camera  Serial  Interface  2）規格などの、画像信号を伝送することが可能な任意の規格に則った送信器が、挙げられる。なお、撮像部材１０２が有する送信器は、任意の通信方式の有線通信または任意の通信方式の無線通信で、画像信号を送信する送信器であってもよい。
【００５２】
撮像部材１０２における撮像により生成された画像信号は、例えば、撮像部材１０２が有する送信器により、画像信号を処理する処理機能を有する外部装置へ伝送され、当該外部装置において処理される。
【００５３】
また、撮像部材１０２は、ＩＲ  ＬＥＤなどの光源を有していてもよい。なお、ＩＲ  ＬＥＤなどの光源は、例えば、装着型の装置が備える光源など、撮像装置１００の外部の光源であってもよいことは、言うまでもない。
【００５４】
撮像部材１０２が光源を有する場合、撮像部材１０２は、例えば、光源の発光と連動して撮像を行う。光源の発光と連動した撮像とは、例えば、“光源が発光しているときに撮像部材１０２が撮像を行い、光源が発光していないときには、撮像部材１０２が撮像を行わないこと”をいう。
【００５５】
光源の発光と撮像部材１０２における撮像との連動は、例えば、撮像装置１００が備えるプロセッサにより制御されてもよいし、撮像装置１００の外部装置により制御されてもよい。撮像装置１００がプロセッサを備える場合、当該プロセッサは、後述する処理回路として機能しうる。
【００５６】
撮像部材１０２が光源の発光と連動して撮像を行うことによって、角膜反射像の観測をより効率的に行うことができ、また、撮像装置１００において消費される消費電力を低減することができる。
【００５７】
［１−３−２］光学部材１０４
光学部材１０４は、撮像部材１０２を構成する撮像素子の撮像面上（撮像部材１０２を構成するイメージセンサの撮像面上）に、ユーザの両目の像をそれぞれ結像させる。
【００５８】
光学部材１０４は、例えば、撮像素子の撮像面上の一の領域にユーザの右目の像を結像させ、撮像素子の撮像面上の他の領域にユーザの左目の像を結像させる。上記撮像素子の撮像面上の一の領域、および上記撮像素子の撮像面上の他の領域としては、撮像素子の撮像面上の領域全体を二分割した領域が、挙げられる。
【００５９】
図５は、本発明の実施形態に係る撮像装置１００が備える撮像部材１０２における撮像により得られる撮像画像の一例を示す説明図である。図５は、“撮像素子の撮像面上の領域が二分割された一の領域にユーザの右目の像が結像され、撮像素子の撮像面上の領域が二分割された他の領域にユーザの左目の像が結像された場合に得られる撮像画像”の一例を示している。図５に示す“Ｒ１”は、撮像画像が二分割された一の領域を示しており、図５に示す“Ｒ２”は、撮像画像が二分割された他の領域を示している。
【００６０】
撮像素子の撮像面上の領域全体を二分割した領域それぞれに、ユーザの右目の像およびユーザの左目の像をそれぞれ結像させることによって、例えば図５に示すように、“領域Ｒ１にユーザの右目が含まれ、領域Ｒ２にユーザの左目が含まれる撮像画像”が、得られる。
【００６１】
なお、撮像装置１００における撮像により得られる撮像画像は、図５に示す例に限られない。例えば、撮像装置１００における撮像により得られる撮像画像は、“撮像画像における右目が含まれる領域と、撮像画像における左目が含まれる領域との大きさが異なる撮像画像”であってもよい。
【００６２】
光学部材１０４としては、例えば、光を屈折させ、ユーザの右目の像およびユーザの左目の像それぞれを撮像素子の撮像面上の異なる領域に結像させることが可能な、任意の構造のプリズムが、挙げられる。光学部材１０４として機能するプリズムは、例えばガラスや樹脂などで形成されうる。
【００６３】
なお、光学部材１０４は、上記のようなプリズムに限られない。例えば、光学部材１０４は、導光板を組み合わせた構造などの、ユーザの右目の像およびユーザの左目の像それぞれを撮像素子の撮像面上の異なる領域に結像させることが可能な、任意の部材で構成されていてもよい。
【００６４】
光学部材１０４は、例えば図３に示すように、撮像部材１０２の鏡筒部分に取り付けられる。なお、図３に示す光学部材１０４は、便宜上誇張して示したものであり、光学部材１０４の大きさ、形状が、図３に示す例に限られないことは、言うまでもない。
【００６５】
光学部材１０４は、例えば撮像部材１０２の鏡筒部分に、固定されて設けられる。また、光学部材１０４は、例えば、撮像装置１００から着脱可能であってもよい。光学部材１０４が撮像装置１００から着脱可能である場合には、撮像装置１００に取り付ける光学部材１０４を変えることが、可能となる。
【００６６】
ここで、人間の右目と左目との間の幅（例えば、人間が正面を見たときにおける、右目の角膜の中心位置と左目の角膜の中心位置との距離で表される。以下「目幅」と示す。）には、個人差がある。そのため、撮像装置１００が備える光学部材１０４を、撮像装置１００を用いるユーザの目幅に対応する光学部材とすれば、“ユーザの一方の目の像が撮像素子の撮像面上に結像されるときに、ユーザの他方の目の像が撮像素子の撮像面上に結像されること”が、より確実に実現される。つまり、撮像装置１００を用いるユーザの目幅に対応する光学部材１０４を備える撮像装置１００は、撮像部材１０２によるユーザの両目の撮像を、より確実に行うことができる。ここで、撮像装置１００を用いるユーザとは、装着型の撮像装置または装着型の装置を頭部に装着するユーザに該当する（以下、同様とする。）。
【００６７】
光学部材１０４が撮像装置１００から着脱可能であることによって、撮像装置１００を用いるユーザの目幅に対応する光学部材１０４を備える撮像装置１００を、より容易に実現することができる。
【００６８】
図６は、本発明の実施形態に係る撮像装置１００から着脱可能な光学部材１０４の一例を示す説明図である。図６に示すＡは、目幅１のユーザに対応する光学部材１０４Ａを備える撮像装置１００の一例を示しており、図６に示すＢは、目幅２（目幅２＞目幅１）のユーザに対応する光学部材１０４Ｂを備える撮像装置１００の一例を示している。
【００６９】
光学部材１０４Ａおよび光学部材１０４Ｂそれぞれは、例えば、“撮像装置１００を用いるユーザの目幅に合わせて設計、製造された光学部材”であってもよいし、“人間の目幅の統計値を基に設計、製造された光学部材”であってもよい。撮像装置１００を用いるユーザの目幅に対応する光学部材１０４が、複数種類存在する場合、例えば、光学部材１０４それぞれの構造、大きさ、光学部材１０４それぞれに入射された光が撮像素子の撮像面上に到達するまでの屈折数などは、光学部材１０４ごとに変わりうる。
【００７０】
図６に示すように、撮像装置１００を用いるユーザの目幅に対応する光学部材１０４を備える撮像装置１００は、ユーザの両目をより確実に撮像範囲内に含めることができる。また、ユーザの両目がより確実に撮像範囲内に含まれることは、“ユーザの両目を撮像範囲内に含めるための何らかの調整操作を、ユーザが行わなければならない可能性の低減”へと繋がる。
【００７１】
よって、光学部材１０４が撮像装置１００から着脱可能であり、撮像装置１００を用いるユーザの目幅に対応する光学部材１０４が取り付けられることによって、撮像装置１００を用いるユーザの利便性の向上を図りつつ、１つの撮像部材１０２でユーザの両目をそれぞれ撮像することが、実現される。
【００７２】
撮像装置１００は、例えば上記のような撮像部材１０２および光学部材１０４を備えることによって、装着型の撮像装置または装着型の装置を頭部に装着したユーザの両目を、それぞれ撮像する。
【００７３】
なお、本発明の実施形態に係る撮像装置の構成は、上記に示す例に限られない。
【００７４】
例えば、本発明の実施形態に係る撮像装置は、撮像部材１０２における撮像により生成された画像信号を処理する処理回路を、さらに備えていてもよい。
【００７５】
処理回路における処理としては、例えば、画像信号が示す撮像画像に基づき視線を検出する視線検出処理や、画像信号が示す撮像画像に基づき目を計測する処理など、撮像画像に対して行うことが可能な任意の処理が、挙げられる。本発明の実施形態に係る視線検出処理の一例としては、例えば、撮像画像に含まれる角膜反射像の位置に対する瞳孔の位置に基づいて視線を検出する処理（角膜反射法を利用した視線検出処理の一例）が挙げられる。また、目を計測する処理の一例としては、例えば、瞬目を計測する処理が挙げられる。なお、本発明の実施形態に係る画像信号が示す撮像画像に基づく処理が、上記に示す例に限られないことは、言うまでもない。
【００７６】
処理回路は、例えば、撮像部材１０２と、データバスなどの信号線で電気的に接続され、撮像部材１０２から信号線で伝送される画像信号を処理する。処理回路と撮像部材１０２とを信号線で接続する規格としては、例えば、ＭＩＰＩアライアンスのＣＳＩ−２規格などが挙げられる。なお、撮像部材１０２と処理回路とは、任意の通信方式の有線通信、または、任意の通信方式の無線通信で、画像信号を送受信してもよい。
【００７７】
処理回路としては、例えばＣＰＵ（Central  Processing  Unit）などのプロセッサが、挙げられる。
【００７８】
また、本発明の実施形態に係る撮像装置では、撮像部材１０２が上記処理回路を有していてもよい。上記処理回路を有する撮像部材１０２は、上記送信器を有していなくてもよい。
【００７９】
また、本発明の実施形態に係る撮像装置は、例えば、撮像部材１０２における撮像により生成された画像信号を、無線通信または有線通信で送信する通信デバイスを、さらに備えていてもよい。通信デバイスとしては、例えば、撮像部材１０２が有する送信器よりも、通信可能範囲が大きい通信方式に対応する通信デバイスが挙げられる。一例を挙げると、通信デバイスとしては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、ＬＡＮ（Local  Area  Network）端子および送受信回路（有線通信）などが挙げられる。
【００８０】
［２］本発明の実施形態に係る撮像装置により奏される効果の一例
本発明の実施形態に係る撮像装置が用いられることによって、例えば下記に示す効果が奏される。なお、本発明の実施形態に係る撮像装置により奏される効果が、下記に示す効果に限られないことは、言うまでもない。
・１つの撮像部材でユーザの両目をそれぞれ撮像することが可能であるので、ユーザが感じうる煩わしさを低減することができる。
・撮像部材が、ユーザの有効視野の外に位置するように配置されることによって、ユーザが感じうる煩わしさをさらに低減することができる。
・１つの撮像部材でユーザの両目をそれぞれ撮像することが可能であるので、ユーザの両目を撮像するための撮像部材の位置の調整を、図１に示す撮像装置１０のような２つの撮像部材を備える撮像装置よりも、より簡便化することができる。
・本発明の実施形態に係る撮像装置が光学部材を着脱することが可能な構成である場合には、本発明の実施形態に係る撮像装置を用いるユーザの目幅に対応する光学部材を、本発明の実施形態に係る撮像装置に設けることが、より容易に実現される。本発明の実施形態に係る撮像装置を用いるユーザの目幅に対応する光学部材を備えることによって、本発明の実施形態に係る撮像装置は、より確実にユーザの両目の撮像を行うことができる。
【００８１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００８２】
１０、２０、１００    撮像装置
１２    第１の撮像部材
１４    第２の撮像部材
２２、１０２    撮像部材
１０４、１０４Ａ、１０４Ｂ    光学部材
２００    装着型の装置
【図１】
2019051218.tif 000003
【図２】
2019051218.tif 000004
【図３】
2019051218.tif 000005
【図４】
2019051218.tif 000006
【図５】
2019051218.tif 000007
【図６】
2019051218.tif 000008